(57)【要約】【課題】製氷時に、仕切板と氷を収容する容器との間に氷が挟まることを抑制することができる冷蔵庫を提供する。【解決手段】断熱箱体１０１の内方に形成される貯蔵空間を製氷室１０５と切換室１０６に区画する仕切板３００と、製氷室１０５に引出可能に配置される引出ユニット２００と、氷を生成し製氷室１０５内方に生成した氷を落下させる製氷装置４００とを備える冷蔵庫１００であって、引出ユニット２００は、製氷装置４００が生成し落下させた氷が収容される容器２３０を備え、仕切板３００は、容器２３０の上方に、容器２３０外方への氷の落下を防止するための奥行方向に延びる突条状の氷落下防止部３１０を備える。【選択図】図３
2012057876.tif 000002
【特許請求の範囲】
【請求項１】
前面に開口部を有する断熱箱体と、前記断熱箱体の内方に形成される貯蔵空間を左右の２つの貯蔵室に区画する仕切板と、前記２つの貯蔵室のうちのいずれかの貯蔵室を製氷室として前記製氷室に引出可能に配置される引出ユニットと、氷を生成し前記製氷室内方に生成した氷を落下させる製氷装置とを備える冷蔵庫であって、
前記引出ユニットは、前記製氷装置が生成し落下させた氷が収容される氷収容部を備え、
前記仕切板は、前記氷収容部の上方に、前記氷収容部外方への氷の落下を防止するための奥行方向に延びる突条状の氷落下防止部を備える
冷蔵庫。
【請求項２】
前記氷落下防止部は、前記氷収容部内方に氷を落下させる傾斜面を備える
請求項１に記載の冷蔵庫。
【発明の詳細な説明】
【技術分野】
【０００１】
本発明は、冷蔵庫に関し、特に、製氷室を備えた冷蔵庫に関する。
【背景技術】
【０００２】
従来、庫内の貯蔵空間を左右の２つの貯蔵室に区画し、区画された１つの貯蔵室を製氷室として、氷を収容することができる冷蔵庫が知られている（例えば、特許文献１参照）。このような冷蔵庫では、製氷室に引出可能に配置された引出ユニットと、氷を生成して製氷室内方に生成した氷を落下させる製氷装置とを備えており、製氷装置が生成し落下させた氷を、引出ユニットが備える容器内に収容する。
【先行技術文献】
【特許文献】
【０００３】
【特許文献１】特開２００１−６６０４９号公報
【発明の概要】
【発明が解決しようとする課題】
【０００４】
ここで、上記従来の冷蔵庫は、当該貯蔵空間を左右の２つの貯蔵室に区画する仕切板を備えるとともに、製氷時に、仕切板の側方に配置された引出ユニットの容器内に氷を落下させる。
【０００５】
しかし、仕切板と当該容器との間に隙間が空いているため、氷が落下した際に、仕切板と当該容器との間に氷が挟まる場合がある。この場合、製氷室からの引出ユニットの出し入れが困難になったり、仕切板と当該容器との間の隙間の清掃が必要になったりするという問題がある。
【０００６】
そこで、本発明は、このような問題に鑑みてなされたものであり、製氷時に、仕切板と氷を収容する容器との間に氷が挟まることを抑制することができる冷蔵庫を提供することを目的とする。
【課題を解決するための手段】
【０００７】
上記目的を達成するために、本発明に係る冷蔵庫は、前面に開口部を有する断熱箱体と、前記断熱箱体の内方に形成される貯蔵空間を左右の２つの貯蔵室に区画する仕切板と、前記２つの貯蔵室のうちのいずれかの貯蔵室を製氷室として前記製氷室に引出可能に配置される引出ユニットと、氷を生成し前記製氷室内方に生成した氷を落下させる製氷装置とを備える冷蔵庫であって、前記引出ユニットは、前記製氷装置が生成し落下させた氷が収容される氷収容部を備え、前記仕切板は、前記氷収容部の上方に、前記氷収容部外方への氷の落下を防止するための奥行方向に延びる突条状の氷落下防止部を備える。
【０００８】
これによれば、仕切板は、氷を収容する容器である氷収容部の上方に、氷収容部外方への氷の落下を防止するための奥行方向に延びる突条状の氷落下防止部を備えている。これにより、製氷時に、氷落下防止部が氷収容部外方への氷の落下を防止することができ、仕切板と氷を収容する容器との間に氷が挟まることを抑制することができる。
【０００９】
また、好ましくは、前記氷落下防止部は、前記氷収容部内方に氷を落下させる傾斜面を備える。
【００１０】
これによれば、氷落下防止部は、氷収容部内方に氷を落下させる傾斜面を備えている。これにより、製氷時に、当該傾斜面によって氷収容部内方に氷を落下させることができ、仕切板と氷を収容する容器との間に氷が挟まることを抑制することができる。
【発明の効果】
【００１１】
本発明により、製氷時に、仕切板と氷を収容する容器との間に氷が挟まることを抑制することができる冷蔵庫を提供することができる。
【図面の簡単な説明】
【００１２】
【図１】本発明の実施の形態における冷蔵庫の正面図である。
【図２】本発明の実施の形態における冷蔵庫の縦断面図である。
【図３】本発明の実施の形態における引出ユニット及び仕切板の製氷室内での位置関係を示す図である。
【図４】本発明の実施の形態における引出ユニットを製氷室の奥側から示す斜視図である。
【図５】本発明の実施の形態における仕切板を製氷室の手前側から示す斜視図である。
【発明を実施するための形態】
【００１３】
以下、本発明の実施の形態について図面を用いて詳細に説明する。
【００１４】
図１は、本発明の実施の形態における冷蔵庫１００の正面図である。
【００１５】
図２は、本発明の実施の形態における冷蔵庫１００の縦断面図であり、図１におけるＡ−Ａ線で切断した状態を示している。
【００１６】
図１及び図２に示すように、本実施の形態にかかる冷蔵庫１００は、観音開き式の扉を上部に備える冷蔵庫であり、冷蔵庫１００の内方と外方とを断熱状態で隔てる断熱箱体１０１内に複数に区画された貯蔵室を備えている。
【００１７】
断熱箱体１０１は、金属製の外箱と樹脂製の内箱との間に例えば硬質発泡ウレタンなどの断熱材を充填して形成される少なくとも一面が開口した直方体の箱体である。この断熱箱体１０１は、外方の雰囲気（大気）から断熱箱体１０１の内方に流入しようとする熱を遮断する機能を有している。
【００１８】
断熱箱体１０１内に複数に区画された貯蔵室は、その機能（冷却温度）によって第一冷蔵室１０２、製氷室１０５、庫内の温度が変更できる切換室１０６、第二冷蔵室１０３、及び冷凍室１０４等と区別して称されることがある。
【００１９】
冷蔵庫１００の最上部に位置する第一冷蔵室１０２の前面開口部には、例えばウレタンのような発泡断熱材を発泡充填した回転式の断熱扉１０７が設けられ、棚状の収納空間となっている。
【００２０】
また、第一冷蔵室１０２の下方に配置される製氷室１０５、切換室１０６、第二冷蔵室１０３及び冷凍室１０４は、前面が開口する引出式の貯蔵室となされている。そして、それぞれの引出には、前面開口を閉塞する引出扉１０８、２１０が設けられ、これにより冷気の漏れがないように貯蔵室を密閉している。
【００２１】
製氷室１０５は、冷凍温度帯に設定される貯蔵室である。そして、製氷室１０５は、内方に後述する製氷装置を設け、製氷装置で氷を作りその氷を保存する貯蔵室である。設定温度は、通常−２２〜−１８℃で設定されている。
【００２２】
さらに、冷蔵庫１００は、断熱箱体１０１の内方に形成される貯蔵空間を、製氷室１０５及び切換室１０６の左右の２つの貯蔵室に区画する仕切板３００を備えている。この仕切板３００の詳細な構成についての説明は、後述する。
【００２３】
また、製氷室１０５には、氷を収容し、引出扉２１０とともに製氷室１０５から出し入れされる引出ユニット２００が配置されている。このように、引出ユニット２００は、製氷室１０５に引出可能に配置されている。
【００２４】
つまり、製氷室１０５の左右内壁（断熱箱体１０１の側壁と仕切板３００の側壁）には、引出ユニット２００を冷蔵庫１００の前後方向に案内するレールが取り付けられている。そして、引出ユニット２００は、当該レールに沿って断熱箱体１０１に対し引き出されたり押し戻されたりすることで、製氷室１０５から出し入れされる。なお、この引出ユニット２００の詳細な構成についての説明は、後述する。
【００２５】
次に、引出ユニット２００及び仕切板３００の製氷室１０５内での位置関係、及び引出ユニット２００及び仕切板３００の詳細な構成について、説明する。
【００２６】
図３は、本発明の実施の形態における引出ユニット２００及び仕切板３００の製氷室１０５内での位置関係を示す図である。
【００２７】
図４は、本発明の実施の形態における引出ユニット２００を製氷室１０５の奥側（冷蔵庫１００の後側）から示す斜視図である。
【００２８】
図５は、本発明の実施の形態における仕切板３００を製氷室１０５の手前側（冷蔵庫１００の前側）から示す斜視図である。
【００２９】
図３に示すように、製氷室１０５内において、仕切板３００の側方に引出ユニット２００が配置されており、引出ユニット２００の上方に製氷装置４００が配置されている。
【００３０】
製氷装置４００は、氷を生成し、製氷室１０５内方に生成した氷を落下させる装置である。具体的には、製氷装置４００は、凍結容器４１０内で水を凍らせて氷を生成した後に、軸４２０周りに回転することで、生成した氷を右下方に落下させる。
【００３１】
また、図３及び図４に示すように、引出ユニット２００は、引出扉２１０、保持部材２２０及び容器２３０を備えている。
【００３２】
引出扉２１０は、製氷室１０５の前面開口を開閉自在に閉塞することができる断熱性を備えた板状の部材である。なお、引出扉２１０は、奥側周縁にパッキンを備え、引出扉２１０が製氷室１０５の開口を閉塞した状態で断熱箱体１０１等と密着し、冷機が漏れるのを防いでいる。
【００３３】
保持部材２２０は、引出扉２１０に接続され、引出扉２１０の後方に延びる金属製の部材であり、容器２３０を保持する。なお、保持部材２２０の材質は、金属には限定されず、樹脂などであってもよい。
【００３４】
容器２３０は、製氷装置４００で生成された氷を収容するための樹脂製の容器である。具体的には、容器２３０は、製氷装置４００が生成し落下させた氷を収容する。この容器２３０は、保持部材２２０に上方向から抜き差し可能に取り付けられ、保持部材２２０に保持される。ここで、容器２３０は、特許請求の範囲に記載の「氷収容部」に包含される。
【００３５】
また、図５に示すように、仕切板３００は、引出ユニット２００側の側面に、仕切板３００の長手方向（冷蔵庫１００の前後方向）に延びる突出した板状の氷落下防止部３１０を備えている。
【００３６】
具体的には、図３に示すように、氷落下防止部３１０は、製氷時に、容器２３０の上方に配置され、容器２３０外方への氷の落下を防止するための奥行方向に延びる突条状の部位である。ここで、氷落下防止部３１０は、容器２３０内方に氷を落下させる傾斜面３１０ａを備えている。つまり、傾斜面３１０ａは、仕切板３００の側面から容器２３０の右上端に向けて下降する平面状の傾斜面である。
【００３７】
なお、仕切板３００は、樹脂製の部材であることが好ましいが、樹脂製には限定されず、金属製などであってもよい。
【００３８】
以上のように、本発明に係る冷蔵庫１００によれば、仕切板３００は、氷を収容する容器２３０の上方に、容器２３０外方への氷の落下を防止するための奥行方向に延びる突条状の氷落下防止部３１０を備えている。これにより、製氷時に、氷落下防止部３１０が容器２３０外方への氷の落下を防止することができ、仕切板３００と容器２３０との間に氷が挟まることを抑制することができる。
【００３９】
また、氷落下防止部３１０は、容器２３０内方に氷を落下させる傾斜面３１０ａを備えている。これにより、製氷時に、傾斜面３１０ａによって容器２３０内方に氷を落下させることができ、容器２３０との間に氷が挟まることを抑制することができる。
【００４０】
以上、本発明に係る冷蔵庫１００について、上記実施の形態を用いて説明したが、本発明は、これに限定されるものではない。
【００４１】
つまり、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００４２】
例えば、本実施の形態では、製氷室１０５は、仕切板３００の左側に配置される貯蔵室であり、氷落下防止部３１０は、仕切板３００の左側面に備えられていることとした。しかし、製氷室１０５は、仕切板３００の右側に配置される貯蔵室であり、氷落下防止部３１０は、仕切板３００の右側面に備えられていることにしてもよい。
【００４３】
また、本実施の形態では、氷落下防止部３１０は、傾斜面３１０ａを備えていることとしたが、氷落下防止部３１０は、傾斜面３１０ａを備えておらず、氷落下防止部３１０の上面は水平面であってもよい。この場合、製氷装置４００から落下してきた氷は、氷落下防止部３１０の上面部で留まり、容器２３０内方には落下しないこともあるが、仕切板３００と容器２３０との間に氷が挟まることを防止することはできる。
【００４４】
また、本実施の形態では、製氷装置４００は、軸４２０まわりに回転することで、氷を落下させることとしたが、氷を落下させる手段は特に限定されない。
【産業上の利用可能性】
【００４５】
本発明は、冷蔵庫に利用可能である。
【符号の説明】
【００４６】
１００    冷蔵庫
１０１    断熱箱体
１０２    第一冷蔵室
１０３    第二冷蔵室
１０４    冷凍室
１０５    製氷室
１０６    切換室
１０７    断熱扉
１０８    引出扉
２００    引出ユニット
２１０    引出扉
２２０    保持部材
２３０    容器
３００    仕切板
３１０    氷落下防止部
３１０ａ  傾斜面
４００    製氷装置
４１０    凍結容器
４２０    軸
【図１】
2012057876.tif 000003
【図２】
2012057876.tif 000004
【図３】
2012057876.tif 000005
【図４】
2012057876.tif 000006
【図５】
2012057876.tif 000007